(57)【特許請求の範囲】
【請求項１】
商品が収容される袋体と、その表面の一部に被さる帯材とから成り、袋体と帯材とを両端で溶着した樹脂フィルム製の包装袋において、袋体と帯材とに異なる図柄を印刷し、袋体と帯材とのずれに伴い、これらの図柄の重なり合う部分が相対的に移動して、帯材の表面に現れる図柄が変化するようにしたことを特徴とする包装袋。
【発明の詳細な説明】
【技術分野】
【０００１】
この発明は、菓子等の包装に用いる樹脂フィルム製の包装袋であって、消費者への訴求効果を高めたものに関する。
【背景技術】
【０００２】
従来、下記特許文献１には、樹脂フィルムを素材として、商品が収容される袋体と、その表面の一部に被さる帯材とを形成し、袋体と帯材とを両端で溶着して、帯材に商品名等を表示するラベルを貼着した包装袋が記載されている。
【０００３】
【特許文献１】実公平６−３５４号公報（請求項３、第７図及び第８図）
【発明の開示】
【発明が解決しようとする課題】
【０００４】
しかしながら、上記のような包装袋では、期間限定のキャンペーン等に際し、商品の宣伝広告を印刷したラベルを帯材に貼着しても、訴求力に乏しく、袋体の印刷を全面的に変えようとすると、印刷の版の作り替えに多大なコストがかかるという問題がある。
【０００５】
そこで、この発明は、消費者に対する訴求性に優れた樹脂フィルム製の包装袋を低コストで提供することを課題とする。
【課題を解決するための手段】
【０００６】
上記課題を解決するため、この発明は、商品が収容される袋体と、その表面の一部に被さる帯材とから成り、袋体と帯材とを両端で溶着した樹脂フィルム製の包装袋において、袋体と帯材とに異なる図柄を印刷し、袋体と帯材とのずれに伴い、これらの図柄の重なり合う部分が相対的に移動して、帯材の表面に現れる図柄が変化するようにしたのである。
【発明の効果】
【０００７】
この包装袋では、袋体に対して帯材をずらすと、帯材の表面に現れる図柄が動的に変化するので、視覚的に面白さを感じさせて、消費者の興味を惹きつけることができ、優れた訴求効果を得ることができる。
【０００８】
また、従来の製袋工程を生かして、袋体に部分的な印刷を施し、帯材を付加するだけで図柄に変化を与えられるので、コストアップを抑制することができる。
【発明を実施するための最良の形態】
【０００９】
以下、この発明の実施形態を添付図面に基づいて説明する。
【００１０】
図１に示す第１実施形態のように、この包装袋は、ポリエチレン、ポリプロピレン等の樹脂フィルムを素材とするものであり、商品が収容される袋体１と、その表面の一部に被さる帯材２とから構成される。
【００１１】
この包装袋の製造に際しては、図７に示すように、袋体１をなすフィルムｓを巻取ロールＡから繰り出すと共に、帯材２をなすフィルムｔを巻取ロールＢから繰り出して、二つ折りにしたフィルムｓの表面にフィルムｔを重ねる。
【００１２】
そして、各包装袋の両端となる縦方向のシール部３でフィルムｓ，ｔを熱溶着すると同時に、シール部３の中央でフィルムｓ，ｔを切断する。
【００１３】
その後、図１に示すように、商品の袋体１への収容に前後して、袋体１の上部及び下部を、横方向のシール部４で順次シールする。
【００１４】
ここで、製袋に先立って、帯材２のフィルムには、クマの顔５を目穴部６及び口穴部７が透明となるように印刷しておき、袋体１のフィルムには、クマの開いた目６ａ及び口７ａと、閉じた目６ｂ及び口７ｂとを左右に並べて印刷しておく。
【００１５】
この包装袋では、図１（ａ）に示すように、袋体１と帯材２とがずれていない時、クマの目穴部６及び口穴部７から開いた目６ａ及び口７ａが透過して見え、閉じた目６ｂ及び口７ｂは、顔５の印刷に遮られて見えない。
【００１６】
一方、消費者が包装袋を手にとって、図１（ｂ）に示すように、袋体１に対して帯材２を横にずらすと、クマの目穴部６及び口穴部７から閉じた目６ｂ及び口７ｂが透過して見え、開いた目６ａ及び口７ａは、顔５の印刷に遮られて見えなくなる。
【００１７】
このように、上記包装袋では、袋体１に対して帯材２をずらすと、帯材２の表面に現れるクマの表情が動的に変化するので、視覚的に面白さを感じさせて、消費者の興味を惹きつけることができ、優れた訴求効果を得ることができる。
【００１８】
また、従来の製袋工程を生かして、袋体１に部分的な印刷を施し、帯材２を付加するだけで図柄に変化を与えられるので、コストアップを抑制することができる。
【００１９】
ところで、包装袋に施す図柄のバリエーションは、種々考えられる。例えば、図２及び図３に示す第２実施形態のように、帯材２のフィルムにみかんの皮を剥く前の外観８ａを印刷しておき、袋体１のフィルムにみかんの切り口８ｂを印刷しておいてもよい。
【００２０】
この包装袋では、図３（ａ）に示すように、通常時、みかんの切り口８ｂは外観８ａに遮られて見えず、図３（ｂ）に示すように、袋体１に対して帯材２を横にずらすと、切り口８ｂが現れるので、その変化により、商品の購買意欲を高めることができる。
【００２１】
また、図４及び図５に示す第３実施形態のように、帯材２のフィルムに鳥かご９を印刷しておき、袋体１のフィルムに鳥かご９の桟の間隔に対応した縦縞１０と、鳥１１とを印刷しておいてもよい。
【００２２】
この包装袋では、図５（ａ）に示すように、通常時、鳥かご９の桟の間が縦縞１０で塞がれ、図５（ｂ）に示すように、袋体１に対して帯材２を横にずらすと、鳥かご９の桟の間から鳥１１が現れるので、その変化により、商品の購買意欲を高めることができる。
【００２３】
さらに、図６に示す第４実施形態のように、帯材２と袋体１のフィルムに、新幹線電車とクルーザーとを横縞状に分割した乗物分割図１２，１３を印刷しておいてもよい。
【００２４】
この包装袋では、図６（ａ）に示すように、通常時、新幹線電車の図柄が表示され、図６（ｂ）に示すように、袋体１に対して帯材２を縦にずらした時、クルーザーの図柄が表示されるので、その変化により、商品の購買意欲を高めることができる。
【００２５】
なお、上記各実施形態では、四方シールの包装袋を例示したが、三方又は二方シールの包装袋や、ピロータイプの包装袋においても、従来の製袋工程に帯材の貼着工程を付加して、異なる図柄を印刷した袋体と帯材のずれに伴い、帯材の表面に現れる図柄を変化させる同様の構成を適用することができる。
【図面の簡単な説明】
【００２６】
【図１】第１実施形態に係る（ａ）帯材をずらす前の状態を示す斜視図、（ｂ）帯材をずらした後の状態を示す斜視図
【図２】第２実施形態に係る袋体及び帯材の印刷を示す図
【図３】同上の（ａ）帯材をずらす前の状態を示す概略正面図、（ｂ）帯材をずらした後の状態を示す概略正面図
【図４】第３実施形態に係る袋体及び帯材の印刷を示す図
【図５】同上の（ａ）帯材をずらす前の状態を示す概略正面図、（ｂ）帯材をずらした後の状態を示す概略正面図
【図６】第４実施形態に係る（ａ）帯材をずらす前の状態を示す斜視図、（ｂ）帯材をずらした後の状態を示す斜視図
【図７】包装袋の製造工程を示す概略斜視図
【符号の説明】
【００２７】
１  袋体
２  帯材
３，４  シール部
５  クマの顔
６  目穴部
６ａ，６ｂ  目
７  口穴部
７ａ，７ｂ  口
８ａ  みかんの外観
８ｂ  切り口
９  鳥かご
１０  縦縞
１１  鳥
１２，１３  乗物分割図
Ａ，Ｂ  巻取ロール
ｓ，ｔ  フィルム
【図１】
0004704248.tif 000002
【図２】
0004704248.tif 000003
【図３】
0004704248.tif 000004
【図４】
0004704248.tif 000005
【図５】
0004704248.tif 000006
【図６】
0004704248.tif 000007
【図７】
0004704248.tif 000008